(57)【特許請求の範囲】
【請求項１】
屋根材と、屋根材同士の隙間に沿って設けた水上側樋部材及び水下側樋部材を備え、水上側樋部材は、上側に排水路を有し、水下側端部に排水路が水下側に突出した上重合部を有し、水下側樋部材は、上側に上排水路を、下側に下排水路を有し、水上側端部に下排水路が水上側に突出した下重合部を有し、水上側樋部材の上重合部と水下側樋部材の下重合部とが上下に重合していることを特徴とする屋根。
【発明の詳細な説明】
【技術分野】
【０００１】
本発明は、屋根材を並べて配置して構成される屋根に関する。
【背景技術】
【０００２】
ガラス等を用いたパネルを縦横に並べて配置してなるトップライト構造の屋根においては、隣接するパネル同士の隙間の下に樋を配置し、パネル同士の隙間から浸入した雨水をその樋を通じて排水している。屋根の奥行長さが長い場合には、樋を一本物で作ることができず、複数本に分割した樋を長手方向に接続しており、その接続部分のシール作業が必要となるため、面倒であると共にシールが切れて漏水するおそれがあった。
【発明の概要】
【発明が解決しようとする課題】
【０００３】
本発明は以上に述べた実情に鑑み、樋のシール作業が不要な屋根の提供を目的とする。
【課題を解決するための手段】
【０００４】
上記の課題を達成するために請求項１記載の発明による屋根は、屋根材と、屋根材同士の隙間に沿って設けた水上側樋部材及び水下側樋部材を備え、水上側樋部材は、上側に排水路を有し、水下側端部に排水路が水下側に突出した上重合部を有し、水下側樋部材は、上側に上排水路を、下側に下排水路を有し、水上側端部に下排水路が水上側に突出した下重合部を有し、水上側樋部材の上重合部と水下側樋部材の下重合部とが上下に重合していることを特徴とする。
【発明の効果】
【０００５】
請求項１記載の発明による屋根は、屋根材同士の隙間に沿って水上側樋部材及び水下側樋部材が配置してあり、水上側樋部材は、上側に排水路を有し、水下側端部に排水路が水下側に突出した上重合部を有し、水下側樋部材は、上側に上排水路を、下側に下排水路を有し、水上側端部に下排水路が水上側に突出した下重合部を有し、水上側樋部材の上重合部と水下側樋部材の下重合部とが上下に重合していることで、水上側樋部材の排水路を流下する雨水を水下側樋部材の下排水路に流すことができるので、水上側樋部材と水下側樋部材との隙間をシールしなくても、雨水が下に漏れない。
【図面の簡単な説明】
【０００６】
【図１】図４のＸ部拡大図である。
【図２】図１のＣ−Ｃ断面図である。
【図３】本発明の屋根の一実施形態を示す平面図である。
【図４】図３のＡ−Ａ断面図である。
【図５】図３のＢ−Ｂ断面図である。
【発明を実施するための形態】
【０００７】
以下、本発明の実施の形態を図面に基づいて説明する。図１〜５は、本発明の屋根の一実施形態を示している。本屋根は、例えば体育館のような四角い大型の建物の屋根であり、図３，４に示すように、アルミのフレームにガラス１１を嵌め込んだ屋根材１，１，…を左右方向と前後方向に並べて配置し、屋根全体から採光できるようにしたものである。本屋根は、前後方向の中央部が高くなった勾配の緩い両流れの屋根になっている。
【０００８】
本屋根は、図３，４に示すように、棟１２から軒先１３にかけて２枚の屋根材１，１を前後方向に並べて配置してある。各屋根材１は、左右の縦枠１４，１４と前後の横枠１５，１５と無目４７，４７とからなるフレームにガラス（複層ガラス）１１を嵌め込んで構成してある。前後に隣接する屋根材１，１の隙間４８は、図１に示すように、シール材１６でシールしてあると共に、その上からカバー材１７を取付けて塞いである。また、水上側の屋根材１の水下側の横枠１５ａは、水下側に突出する突部１８と、突部１８の先端より垂下する垂下片１９を有し、水下側の屋根材１の水上側の横枠１５ｂは、水上側に突出する突部２０と、突部２０の先端より立ち上がる立ち上がり片２１を有し、立ち上がり片２１の先端部にタイト材２２が設けてある。そして、水上側の屋根材１の水下側の横枠１５ａの突部１８を水下側の屋根材１の水上側の横枠１５ｂの突部２０の上方に重ね、水上側の屋根材１の水下側の横枠１５ａの垂下片１９を水下側の屋根材１の水上側の横枠１５ｂの立ち上がり片２１の前方に重ね、タイト材２２を水上側の屋根材１の水下側の横枠１５ａの突部１８の下面に当接している。以上の構成により、前後に隣接する屋根材１，１間の隙間４８からの漏水を防いでいる。
【０００９】
図５に示すように、左右に隣接する屋根材１，１の隙間４９もシール材１６でシールし、その上からカバー材１７を取付けて塞いであり、これにより左右に隣接する屋根材１，１間の隙間４９からの漏水を防いでいる。さらに、左右に隣接する屋根材１，１の隙間４９の下方には樋部材２が前後方向に沿って配置してあり、万が一左右に隣接する屋根材１，１の隙間４９から雨水が浸入しても、その雨水はこの樋部材２を介して軒先１３に排水され、下に水が落ちないようにしてある。
【００１０】
樋部材２は、図４に示すように、水上側樋部材２ａと水下側樋部材２ｂとに分割して構成され、それぞれファスナ２３を介して建物の躯体２４に固定してある。水上側樋部材２ａと水下側樋部材２ｂは、同一の断面形状のアルミ押出形材よりなり、図５に示すように、上部に底壁２５と立ち上がり壁２６，２７とからなる上排水路３，３（水上側樋部材２ａ），４，４（水下側樋部材２ｂ）が左右両側に設けてある。上排水路３，３，４，４は、左右両端の立ち上がり壁２６と中間の立ち上がり壁２７との間の下面が、左右両端から中央に向けて下方に傾斜した傾斜面２８となっている。また、左右両端の立ち上がり壁２６の内側には、軟質のフィン２９が上方に立ち上げて設けてあり、フィン２９の上端部が屋根材１の下面に当接している。上排水路３，３，４，４の下方には中空部３０，３０が設けてあり、該中空部３０，３０により下排水路５，５（水上側樋部材２ａ），６，６（水下側樋部材２ｂ）を形成してある。なお、水上側樋部材２ａの下排水路５，５は、排水路として機能しないものであり、必ずしもなくてもよい。
【００１１】
図５に示すように、水上側樋部材２ａ及び水下側樋部材２ｂの上面の中央部には、長手方向に沿ってボルト保持溝３１が形成してあり、ボルト保持溝３１に頭部を保持したボルト３２とナット３３とで屋根材取付け用のベース金具３４を前後方向に位置調整可能に取付け、縦枠１４の側面に取付けた金具３５をベース金具３４に上方からのボルト３６で固定して、屋根材１を樋部材２ａ，２ｂに固定している。
また、水上側樋部材２ａ及び水下側樋部材２ｂの下面の中央部には、長手方向に沿って裏板保持溝３７が形成してあり、裏板保持溝３７に保持した裏板３８にファスナ２３をボルト・ナット３９で固定している。
【００１２】
図１に示すように、水上側樋部材２ａの水下側端部は、下部側を切り欠くことで上排水路３，３が水下側に突出した上重合部７を形成してあり、水下側樋部材２ｂの水上側端部は、上部側を切り欠くことで下排水路６，６が水上側に突出した下重合部８を形成してあり、水上側樋部材２ａの上重合部７と水下側樋部材２ｂの下重合部８とが上下に重合している。水上側樋部材２ａの水下側端部と水下側樋部材２ｂの水上側端部との間には、隙間４０を有している。
上重合部７の水下側端部には、図１，２に示すように、塞ぎブロック４１，４１を取付けて上排水路３，３の水下側端部を堰き止めてあり、塞ぎブロック４１，４１に隣接する上排水路３，３の底壁２５に排水孔４２，４２が設けてある。下重合部８の水上側端部にも塞ぎブロック４３，４３が取付けてあり、塞ぎブロック４３，４３により下排水路６，６の水上側端部を堰き止めてある。
【００１３】
水上側の屋根材１，１同士の隙間４９から浸入した雨水は、図１の矢印４４に示すように、水上側樋部材２ａの上排水路３，３（排水路）を流下し、水下側端部で塞ぎブロック４１，４１で堰き止められ、上重合部７に設けた排水孔４２，４２から水下側樋部材２ｂの下重合部８に落ち、水下側樋部材２ｂの下排水路６，６を通じて軒先１３に排水される。水上側樋部材２ａは、上排水路３，３の水下側端部で塞ぎブロック４１，４１により雨水を堰き止めてあり、上重合部７の底壁２５に排水孔４２，４２が設けてあることで、水上側樋部材２ａを流れてきた雨水を水下側樋部材２ｂの下排水路６，６へ確実に誘導することができる。さらに、図２に示すように、上排水路３，３の左右端部から中央に向けて下方に傾斜した傾斜面２８を有することで、図２中の矢印４５に示すように、上排水路３，３の排水孔４２，４２へ雨水を誘導することができる。さらに、排水孔４２の傾斜面２８と対向する側に立ち上がり壁２７を設けたことで、傾斜面２８から勢いよく流れてきた雨水を立ち上がり壁２７で堰き止めて排水孔４２へと誘導できる。水下側の屋根材１，１同士の隙間４９から浸入した雨水は、図１中の矢印４６に示すように、水下側樋部材２ｂの上排水路４，４を通じて軒先１３へと排水される。
【００１４】
以上に述べたように本屋根は、屋根材１，１同士の隙間に沿って水上側樋部材２ａ及び水下側樋部材２ｂが配置してあり、水上側樋部材２ａは、上側に排水路（上排水路３，３）を有し、水下側端部に排水路（上排水路３，３）が水下側に突出した上重合部７を有し、水下側樋部材２ｂは、上側に上排水路４，４を、下側に下排水路６，６を有し、水上側端部に下排水路６，６が水上側に突出した下重合部８を有し、水上側樋部材２ａの上重合部７と水下側樋部材２ｂの下重合部８とが上下に重合していることで、水上側樋部材２ａの排水路（上排水路３，３）を流下する雨水を水下側樋部材２ｂの下排水路６，６に流すことができるので、水上側樋部材２ａと水下側樋部材２ｂとの隙間をシールしなくても、雨水が下に漏れない。
水上側樋部材２ａと水下側樋部材２ｂに同一の断面形状の形材を用いたので、コストを削減できる。
【００１５】
本発明は以上に述べた実施形態に限定されない。屋根材の材質、形状等は、適宜変更することができ、ガラスを用いたものに限らず、金属やセラミックのパネルを用いたものであってもよい。樋部材は、長手方向に３本以上に分割したものでもよい。水上側樋部材は、下排水路を有しないものであってもよい。
【符号の説明】
【００１６】
１  屋根材
２ａ  水上側樋部材
２ｂ  水下側樋部材
３  水上側樋部材の上排水路（排水路）
４  水下側樋部材の上排水路
６  水下側樋部材の下排水路
７  上重合部
８  下重合部
【図１】
0006706541.tif 000002
【図２】
0006706541.tif 000003
【図３】
0006706541.tif 000004
【図４】
0006706541.tif 000005
【図５】
0006706541.tif 000006